(57)【要約】可視ディスプレイ装置（１）が開示される。この装置は、小売宣伝用の看板、又は子供がディスプレイ素子（５）を表現したいパターンに配列することができる玩具として特に有用である。看板としての装置（１）は、磁性体ディスプレイ素子（５）が配置された強磁性体（２）を備えている。各素子（５）は磁性体ベース（１０）、その磁性体ベース（１０）から突出したディスク状歯車（１３）の開口（３０）及びスペーサ（１９）の開口（３１）を貫通した心棒（１１）と、スペーサ（１９）上に固着されたディスク状ディスプレイシート（１５）とを備え、スペーサ（１９）は歯車（１３）に固定されている。隣接素子（５）の歯車（１３）は、互いに係合して一素子（５）の回転運動が隣接素子（５）の回転運動を生ずるようになっている。隣接素子（５）は、支持面上においてサインワード又は他の必要な広告を書き上げるべく支持面上に配置される。ディスプレイ素子（５）は回転させるための適当な駆動源として電気モータが用いられるが、それは手動によっても回転可能である。【選択図】図４
2004504644.tif 000002
【特許請求の範囲】
【請求項１】
少なくとも一つの支持面を有する支持体と、
少なくとも１個のディスプレイ素子であって、前記支持面に取り外し可能に固着されるとともに、同支持面上において装置使用者によって選択された位置を占めることができるものと、を備えたことを特徴とする可視ディスプレイ装置。
【請求項２】
前記ディスプレイ装置が、前記支持体に対し磁気固着手段、織布固着手段、及び接着剤又はパテ状の固定手段からなる１又は２以上のグループより選択された固着手段により、取り外し可能に固着されたことを特徴とする請求項１記載の装置。
【請求項３】
前記固着手段が、前記磁気固着手段であることを特徴とする請求項２に記載の装置。
【請求項４】
前記固着手段の磁石が、前記支持面に関連装備されるか、又は前記ディスプレイ素子中に組み込まれたことを特徴とする請求項３に記載の装置。
【請求項５】
前記固着手段が、織布固着手段であることを特徴とする請求項２に記載の装置。
【請求項６】
前記織布固着手段が、商標“ｖｅｌｃｒｏ”として販売されている物質であることを特徴とする請求項５に記載の装置。
【請求項７】
前記ディスプレイ装置が、移動可能に前記支持面に取り付けられたことを特徴とする請求項１〜６のいずれか１項に記載の装置。
【請求項８】
前記ディスプレイ装置の移動が、回転運動であることを特徴とする請求項７に記載の装置。
【請求項９】
前記装置がさらに、前記ディスプレイ素子に回転運動を付与する駆動手段を含むことを特徴とする請求項８に記載の装置。
【請求項１０】
前記ディスプレイ素子が、複数個存在するものであることを特徴とする請求項１〜９のいずれか１項に記載した装置。
【請求項１１】
前記ディスプレイ素子の少なくとも幾つかが、互いに結合されたことにより、前記幾つかの素子の一つの回転に基づいて隣接した前記ディスプレイ素子の回転を生ずるようにしたことを特徴とする請求項１０に記載の装置。
【請求項１２】
前記ディスプレイ素子の各々が、前記磁石を組み込んだものであることを特徴とする請求項１０又は１１に記載の装置。
【請求項１３】
前記磁石上に歯車を回転自在に取り付けたことにより、隣接した前記ディスプレイ素子の歯車と伝動回転可能としたことを特徴とする請求項１２に記載の装置。
【請求項１４】
前記磁石が、前記支持面から突出して前記歯車の中心開口を貫通する心棒を備えたことを特徴とする請求項１３に記載の装置。
【請求項１５】
前記心棒が、対応する前記歯車を保持するための拡大端を有することを特徴とする請求項１４に記載の装置。
【請求項１６】
前記磁石が、隣接した前記ディスプレイ素子の前記歯車を所望のピッチにおいて係合させるように配置されたものであることを特徴とする請求項１３〜１５のいずれか１項に記載した装置。
【請求項１７】
前記磁石が、前記歯車に類似した表面領域を有するものであることを特徴とする請求項１３〜１６のいずれか１項に記載した装置。
【請求項１８】
１枚のディスプレイシートが、前記歯車上に取り付け固定されたものであることを特徴とする請求項１３〜１７のいずれか１項に記載した装置。
【請求項１９】
前記ディスプレイシートが、反射性上面を有するものであることを特徴とする請求項１８に記載の装置。
【請求項２０】
前記反射性上面が、単色又は多色面であることを特徴とする請求項１９に記載の装置。
【請求項２１】
前記反射面が、単色であることを特徴とする請求項２０に記載の装置。
【請求項２２】
前記反射面が、反射性銀物質からなることを特徴とする請求項２１に記載の装置。
【請求項２３】
前記反射性銀物質が、ホログラフ的に加工された薄片からなることを特徴とする請求項２２に記載の装置。
【請求項２４】
前記反射面が、多色であることを特徴とする請求項２２に記載の装置。
【請求項２５】
前記ディスプレイシートが、少なくとも前記歯車を覆うことができる大きさにされたことを特徴とする請求項１８〜２４のいずれか１項に記載した装置。
【請求項２６】
前記ディスプレイシートが、前記歯車より実質的に大きいサイズであることを特徴とする請求項２５に記載の装置。
【請求項２７】
前記装置がさらに、前記心棒上において前記歯車と前記ディスプレイシートとの間に配置されたスペーサを有することにより、隣接した前記ディスプレイシートの千鳥状の重複又は重なり合いを可能にしたものであることを特徴とする請求項２６に記載の装置。
【請求項２８】
前記支持面が、強磁性物質から製造されるか、又はそのような物質と関連して構成されたものであることを特徴とする請求項１〜２７のいずれか１項に記載した装置。
【請求項２９】
前記支持面が、強磁性物質と関連した構造を有するものであることを特徴とする請求項２８に記載の装置。
【請求項３０】
前記支持面が、その上に前記ディスプレイ素子を配置したことにより、視覚的な注意力を喚起させるようにした上面を有する第一の層と、前記第一の層の下面上又はその下面に近接して配置されたことにより、前記ディスプレイ素子の前記第一の層への取り付け状態を維持するに十分な程度に前記下面に対して近接した前記強磁性物質からなる第二の層とを含むことを特徴とする請求項２９に記載の装置。
【請求項３１】
前記支持面が、前記ディスプレイ素子をその各側面に位置せしめるように構成されたものであることを特徴とする請求項１〜３０のいずれか１項に記載した装置。
【請求項３２】
前記ディスプレイ素子を回転するための駆動手段が、直流電気モータであることを特徴とする請求項９〜３１のいずれか１項に記載した装置。
【請求項３３】
前記電気モータが、バッテリー、太陽電池又は給電線を含むグループから選択された手段により給電されるものであることを特徴とする請求項３２に記載の装置。
【請求項３４】
前記電気モータが、前記支持面における前記ディスプレイ素子と同一側面上に位置し、かつ１個の駆動歯車に伝動連結され、その駆動歯車がさらに、隣接したディスプレイ素子に伝動連結されたものであることを特徴とする請求項３２又は３３に記載の装置。
【請求項３５】
前記電気モータが、前記ディスプレイ素子を配置する面の反対側における前記支持面の側面上に位置し、かつ駆動歯車に伝動連結されたことにより、前記ディスプレイ素子に伝動連結されるものであることを特徴とする請求項３２又は３３に記載の装置。
【請求項３６】
前記電気モータが便宜的に前記支持面の一側面上に位置するとともに、前記支持面を貫通して前記駆動歯車に伝動連結されたシャフトを有し、前記歯車が隣接したディスプレイ素子に伝動連結され、さらに、前記モータが前記支持面に実質的に直角な面内で回転可能とされたことにより、前記駆動歯車が前記ディスプレイ素子と前記支持面の所望の側において係合するようにしたことを特徴とする請求項３２又は３３に記載の装置。
【請求項３７】
前記電気モータが前記支持面の一側面上に配置されるとともに、前記支持面を貫通したシャフトを有し、前記シャフトが第一及び第二の駆動歯車を有し、前記第一駆動歯車が前記支持面の一側面上において隣接したディスプレイ素子に伝動連結されるとともに、前記第二の歯車が前記支持面の他側面上において隣接したディスプレイ素子に伝動連結されたものであることを特徴とする請求項３２又は３３に記載の装置。
【発明の詳細な説明】
【０００１】
本発明は、可視ディスプレイ装置に関するものである。
【０００２】
この発明は、特に、人々の注意を引くように設計された看板状ディスプレイ可視情報を含む可視ディスプレイ装置に関するものである。したがって、装置に関しては、以下、本発明の実施例を参照しつつ説明するが、本発明は、より広い概念に及ぶものとして理解されることが明らかである。本発明の特別に意図した応用例は、小売用自家宣伝における看板として設計されたものである。
【０００３】
看板表示は、小売用自家宣伝において多く用いられ、特に、特売品、商品価格、その他の表示にも用いられる。このような情報は、人々の注意を引き付けるような可視的かつ直接的な方法において表現することが、常に効果的である。もし、看板表示が、新しくかつ異なった情報を表示するように循環移動及び変動する状態で実施できれば、極めて効果的であることは明らかである。
【０００４】
本発明によれば、次のような可視ディスプレイ装置が提供される。すなわち、ディスプレイ装置は、
少なくとも一つの支持面を有する支持体と、
少なくとも１個のディスプレイ素子であって、前記支持面に取り外し可能に固着されるとともに、装置使用者が選択した前記表面上の位置においてそれを配置し得るものと、から構成される可視ディスプレイ装置である。
【０００５】
好ましくは、ディスプレイ素子は、磁気固着手段、織布及び接着剤、又はパテ状の固着手段からなるグループ中の１又は２以上のものから選択された固着手段によって前記支持手段上に取り外し可能に固着される。
【０００６】
固着手段が磁気固着手段である場合、磁石は、支持面に関連装備されるか、又はディスプレイ素子中に組み込まれる。
【０００７】
固着手段が織布固着手段である場合、そのための適当な織布固着手段としては、例えば、商標“ｖｅｌｃｒｏ”として販売されている物質がある。
【０００８】
ディスプレイ素子は、固定的又は可動的に支持面上に取り付けられる。
【０００９】
ディスプレイ素子が、可動的に支持面上に取り付けられる場合、その運動を回転運動とすることができる。
【００１０】
ディスプレイ素子が、回転運動を現ずるような本発明の実施例においては、装置はさらに、このディスプレイ素子に回転を与える駆動手段を装備している。
【００１１】
好ましくは、複数のディスプレイ素子が用いられる。
【００１２】
複数のディスプレイ素子が採用される場合、好ましくは、それらのディスプレイ素子の幾つかは、互いに連結することにより、それら素子中の１個の回転が隣接したディスプレイ素子の回転を生ずるようになっている。
【００１３】
好ましくは、ディスプレイ素子は、その素子を支持面に取り外し可能に固着するための磁石を組み込んだものである。
【００１４】
好ましくは、歯車が磁石上に回転可能に取り付けられ、隣接したディスプレイ素子の歯車と伝動連結されるようになっている。
【００１５】
好ましくは、歯車は隣接ディスプレイ素子間の駆動手段からの伝動エネルギーロスを小さくするに適した物質から製造される。
【００１６】
好ましくは、磁石は支持面から突出して、歯車の中心開口を貫通した心棒を備えている。
【００１７】
好ましくは、心棒は対応する歯車を係止するための拡大端を備えている。
【００１８】
好ましくは、磁石は隣接したディスプレイ素子の歯車間における所望ピッチでの係合を与えるように配置されている。
【００１９】
好ましくは、磁石は対応する歯車に類似した表面領域を有する。
【００２０】
好ましくは、歯車上にディスプレイシートが装着又は固着される。
【００２１】
好ましくは、ディスプレイシートは、反射性上面を有する。
【００２２】
反射性上面は、単色又は多色面から構成される。
【００２３】
反射面が単色である場合、それは反射性銀材料が用いられる。
【００２４】
好ましくは、反射性銀材料はホログラフ加工された薄片からなっている。
【００２５】
反射面が多色である場合、その反射面は何らかの所望パターンを採用することができる。
【００２６】
好ましくは、ディスプレイシートは少なくとも歯車を覆うような大きさに設定される。
【００２７】
ディスプレイシートが歯車より実質的に大きいサイズである場合、装置はさらに、心棒上において歯車とディスプレイシートとの間に位置するスペーサを装備し、これによって、隣接したディスプレイシートを千鳥状に重複させるか、又は重なり合わせ、これによって、隣接ディスプレイシート間の干渉を阻止するものである。
【００２８】
支持面は強磁性物質から製造されるか、または関連付けて構成される。
【００２９】
支持面が強磁性物質と関連付けられたものである場合、その支持面はその上に可視的な注意力を喚起するためのディスプレイ素子を配置すべき上面を有する第一の層と、その第一の層の下面上又はその近傍に位置した強磁性物質からなる第二の層とを有し、この第二の層はまた、第一の層上のディスプレイ素子の固着状態を維持するに十分な近接距離を有する。
【００３０】
支持面はその両側面上にディスプレイ素子を配置できるようになっている。
【００３１】
好ましくは、ディスプレイ素子を回転するための手段として、直流電気モータが採用される。
【００３２】
電気モータは、バッテリー、太陽電池又は給電線を含む何らかの適当なエネルギー供給手段により付勢可能である。
【００３３】
電気モータは、ディスプレイ素子と同じ支持面上に位置し、駆動歯車に伝動連結され、この駆動歯車は隣接ディスプレイ素子の歯車に駆動的に伝動連結される。また、電気モータは、ディスプレイ素子が取り付けられる面と反対側の支持面上に位置させることもでき、それはまた、支持面を貫通して駆動歯車と伝動連結されるようにしたシャフトを有する。この駆動歯車はまた、隣接ディスプレイ素子の歯車に伝動連結される。さらに、電気モータは、便宜的に支持面の一側面上に位置するとともに、その支持面を貫通して別の駆動歯車に伝動連結されたシャフトを有し、その駆動歯車がさらに、隣接ディスプレイ素子の歯車に伝動連結されるようにする。しかしながら、電気モータは、支持面に実質的に直角な面内で回転可能とし、これによって、シャフト上の駆動歯車を支持面のいずれかの側におけるディスプレイ素子の歯車と係合させることも所望に応じて実施することができる。この構造は、特に、支持面がディスプレイ素子をその両側面に支受する場合において有益である。さらに、電気モータは、支持面の一側面上に位置し得るが、その支持面を貫通したシャフトを有し、そのシャフトが２個の駆動歯車を有し、その２個のうちの第一の歯車を支持面の一側面上における隣接ディスプレイ素子の歯車と伝動連結させるとともに、第二の歯車をその支持面の反対側面上の隣接ディスプレイ素子の歯車に伝動連結させることも可能である。
【００３４】
この発明によるディスプレイ素子は、種々の形態を取り得ることが明らかである。その種々の形態は、以下の図面を参照した本発明の多数の好ましい実施例の詳細な説明においてよりよく理解されるであろう。この詳細な説明を行う目的は、本発明の趣旨に関心を抱くであろう当業者が、本発明を実用的にどのように実施するかを教示することである。しかしながら、本発明の範囲は、前述した広範な記述を参照して決定されるべきものであり、以下の詳細な説明による事項のみに限定されるものではない。
【００３５】
図１において、（１）はディスプレイサイン（看板）として本発明にしたがって構成さた可視ディスプレイ装置を概括したものである。このディスプレイサイン（１）は複数のディスプレイ素子（５）を配置した平坦な支持面（３）を有する矩形鋼鉄シート（２）からなる支持体を備えている。
【００３６】
図２に示す通り、各素子（５）は、磁石たり得る磁性体ベース（１０）、その磁性体ベース（１０）から突出して周辺に歯列を有するディスク状歯車（１３）の開口（３０）と、スペーサ（１９）の開口（３１）を貫通した心棒（１１）を有している。スペーサ（１９）は、歯車（１３）に固着されるとともに、このスペーサ（１９）上には、ディスク状ディスプレイシート（１５）が取り付けられ、かつ締結される。素子（５ａ）（図１）を除き、ディスプレイシート（１５）は反射性ホログラフ材料からなっている。ディスプレイ素子（５ａ）のディスプレイシート（１５）は、サイン（１）を看取している人物に対して明示されないように支持面（３）と同一色にされ、その結果、サインワード「ＳＡＬＥ」（図１及び図３）の文字間隔の幻影を生ずる。
【００３７】
磁性体ベース（１０）は実質的に円形であり、歯車（１３）よりわずかに小さく設計されている。隣接素子（１５）の各々における磁性体ベース（１０）が互いに隣接している場合、歯車（１３）の相対的な位置決めは、互いに完全に係合するようになっている（図４）。スペーサ（１９）はさらに、ディスプレイシート（１５）が互いに干渉しないように重複配置されるべく変化した厚みを用いる（図５）。
【００３８】
図５及び６に示した通り、駆動モータ（２９）はシート（２）の下面に固着されている。駆動シャフト（３２）は、シート（２）の開口を貫通して駆動歯車（２０）内で終わっている。この駆動歯車（２０）は、ディスプレイ素子（５）の隣接歯車（１３）と係合している。モータ（２９）は、当業技術分野において周知のＤＣ電気モータであり、バッテリー（１．２Ｖバッテリ−）（図５）又は給電線から付勢される（図６）。
【００３９】
選択的な実施例（図７）において、モータ（２９）及びその関連バッテリーは、磁性体ハウジング（２５）内に収納される。この磁性体ハウジング（２５）は、シート（２）におけるディスプレイ素子（５）と同一面側に保持される。
【００４０】
さらに、別の実施例（図８）において、モータ（２９）及び磁性体ハウジング（２５）内におけるその関連バッテリーは、シート（２）から垂下したフェーシング（３３）上において摺動可能である。そのため、シート（２）には、駆動歯車（２０）が双方向“Ｄ”において通過できるに十分な大きさの開口が設けられている。一つの位置（図示位置）において駆動歯車（２０）は、シート（２）の一側面上においてディスプレイ素子（５）の歯車（１３ａ）と係合する。第二の位置において、モータ（２９）は、フェーシング（３３）に沿って再位置決めされることにより、駆動歯車（２０）がシート（２）の他側面上におけるディスプレイ素子（５）の歯車（１３ｂ）と係合する。
【００４１】
図９は、ディスプレイ素子が図８に示したように、シート（２）の両側に位置するようにした本発明のさらなる駆動機構の実施例を示している。この選択的実施例において、モータ（２９）は、シート（２）の開口を貫通した駆動シャフト（３２）を有する。シャフト（３２）の自由端において、第一の駆動歯車（２０ａ）がシート（２）の一側面上における隣接歯車（１３ａ）と係合する。シャフト（３２）の他端においては、シート（２）の他側面上においてディスプレイ素子（５）の歯車（１３ｂ）と係合する第二駆動歯車（２０ｂ）が存在する。
【００４２】
本発明の使用において、サインワード「ＳＡＬＥ」（図１）を書き上げるために５１個のディスプレイ素子（５）が用いられる。ディスプレイ素子（５）はそれらの反射性ディスプレシート（１５）とともに、文字Ｓ、Ａ、Ｌ、及びＥを書き上げるために用いられる。支持面（３）と同色にされたディスプレイ素子（５ａ）のディスプレイシート（１５）は、隣接文字と繋がるように用いられる。モータ（２９）の付勢中においては、すべてのディスプレイ素子（５）が回転する。
【００４３】
所望に応じて、ディスプレイサイン（１）の内容を変えるため、素子（５）は単純に抽出されるか、又は支持面（３）の付近でスライドさせることにより、あるいはその両方の手法により、新たなサイン情報を形成することができる。しかしながら、明らかに認識されることとして、隣接素子（５）はそれらの回転を生ずるため、順次、伝動するように係合していなければならない。
【００４４】
ディスプレイサイン（１）はさらに、ディスプレイ素子（５）の下方において支持面（３）上に配置され、ディスプレイ素子（５）の磁性体ベース（１０）によりその支持面（３）上に維持されるペーパーシート又は他の適当なシート物質に対し、付加的な書き込み又は作図を行うことにより、効果を高めることができる。
【００４５】
本発明は、かくして次のような多数の利点を有するサインを提供する。
・　それは可視的な注意喚起及び心理的衝撃を与えることができる。
・　サイン表面の素子配列は、使用者の手で容易に変えることができる。
・　モータ駆動形式においては、必要最小限度のエネルギー消費しか要求しないため、低電圧バッテリーによって好ましく駆動することができる。
・　ディスプレイ素子を固定もしくは取り付けるために、支持面上に穴あけを施す必要がないこと・
・　モータ駆動形式においては、電気モータを包囲するハウジングの、サインへの複雑な取り付け機構を要しない。
・　ディスプレイ素子の磁性体ベースの大きさを適当に設計することにより、隣接ギア間の完全かつ効果的な係合を実現できる。
【００４６】
本発明のディスプレイ素子は、少なくとも（１）小売用自家宣伝を含む商業的な看板として、及び（２）支持面上においてディスプレイ素子を子供たちがパターン化し、かつそれらを回転させるような玩具として効果的に用い得ることが期待される。
【００４７】
上述した事項は、本発明の例示説明のためにのみ行ったものであり、当業者にとって自明であるようなすべての変形及び改変は、請求の範囲において規定した本発明の広範な精神及び範囲を逸脱することなく、実施し得ることはもちろんである。
【図面の簡単な説明】
【図１】
本発明による可視ディスプレイ装置の正面図である。
【図２】
図１の装置におけるディスプレイ素子の分解斜視図である。
【図３】
図１の装置の第一の平面断面図である。
【図４】
図１の装置の第二の平面断面図である。
【図５】
本発明の第１の駆動機構の断面図である。
【図６】
本発明の第２の駆動機構の断面図である。
【図７】
本発明の第３の駆動機構の断面図である。
【図８】
本発明の第４の駆動機構の断面図である。
【図９】
本発明の第５の駆動機構の断面図である。
【国際公開パンフレット】
2004504644.tif 000003
2004504644.tif 000004
2004504644.tif 000005
2004504644.tif 000006
2004504644.tif 000007
2004504644.tif 000008
2004504644.tif 000009
2004504644.tif 000010
2004504644.tif 000011
2004504644.tif 000012
2004504644.tif 000013
2004504644.tif 000014
2004504644.tif 000015
2004504644.tif 000016
2004504644.tif 000017
2004504644.tif 000018
2004504644.tif 000019
2004504644.tif 000020
2004504644.tif 000021
2004504644.tif 000022
2004504644.tif 000023
2004504644.tif 000024
2004504644.tif 000025
2004504644.tif 000026
【手続補正書】
【提出日】平成14年8月9日(2002.8.9)
【手続補正１】
【補正対象書類名】明細書
【補正対象項目名】特許請求の範囲
【補正方法】変更
【補正の内容】
【特許請求の範囲】
【請求項１】
少なくとも一つの支持面を有する支持体と、
複数のディスプレイ素子であって、前記ディスプレイ素子の各々が、
（ｉ）前記支持面に取り外し可能に固着されており、
（ｉｉ）前記支持面上において前記装置の使用者により選択された位置に配置されることが可能であり、さらに、
（ｉｉｉ）前記支持面上に取り付けられた状態において回転可能となっているもの、並びに、
前記ディスプレイ素子の少なくとも一つに回転を与えるための駆動手段とを備え、
前記ディスプレイ素子の少なくとも幾つかが互いに連結されたことにより、前記ディスプレイ素子の一つの回転が、前記ディスプレイ素子のうち少なくとも一つの隣接素子の回転を生ずるようにしたことを特徴とする可視ディスプレイ装置。
【請求項２】
前記ディスプレイ装置の各々が、前記支持体に対し磁気固着手段、織布固着手段、及び接着剤又はパテ状の固定手段からなる１又は２以上のグループより選択された固着手段により、取り外し可能に固着されたことを特徴とする請求項１記載の装置。
【請求項３】
前記固着手段が、前記磁気固着手段であることを特徴とする請求項２に記載の装置。
【請求項４】
前記固着手段の磁石が、前記支持面と支持面に関連装備されるか、又は前記ディスプレイ素子中に組み込まれたことを特徴とする請求項３に記載の装置。
【請求項５】
前記固着手段が、織布固着手段であることを特徴とする請求項２に記載の装置。
【請求項６】
前記織布固着手段が、商標“ｖｅｌｃｒｏ”として販売されている物質であることを特徴とする請求項５に記載の装置。
【請求項７】
前記ディスプレイ素子の各々が、前記磁石を組み込んだものであることを特徴とする請求項４に記載の装置。
【請求項８】
前記磁石上に歯車を回転自在に取り付けたことにより、隣接した前記ディスプレイ素子の歯車と伝動回転可能としたことを特徴とする請求項７に記載の装置。
【請求項９】
前記磁石が、前記支持面から突出して前記歯車の中心開口を貫通する心棒を備えたことを特徴とする請求項８に記載の装置。
【請求項１０】
前記心棒が、対応する前記歯車を保持するための拡大端を有することを特徴とする請求項９に記載の装置。
【請求項１１】
前記磁石が、隣接した前記ディスプレイ素子の前記歯車を所望のピッチにおいて係合させるように配置されたものであることを特徴とする請求項８〜１０のいずれか１項に記載した装置。
【請求項１２】
前記磁石が、前記歯車に類似した表面領域を有するものであることを特徴とする請求項８〜１１のいずれか１項に記載した装置。
【請求項１３】
１枚のディスプレイシートが、前記歯車上に取り付け固定されたものであることを特徴とする請求項８〜１２のいずれか１項に記載した装置。
【請求項１４】
前記ディスプレイシートが、反射性上面を有するものであることを特徴とする請求項１３に記載の装置。
【請求項１５】
前記反射性上面が、単色又は多色面であることを特徴とする請求項１４に記載の装置。
【請求項１６】
前記反射面が、単色であることを特徴とする請求項１５に記載の装置。
【請求項１７】
前記反射面が、反射性銀物質からなることを特徴とする請求項１６に記載の装置。
【請求項１８】
前記反射性銀物質が、ホログラフ的に加工された薄片からなることを特徴とする請求項１７に記載の装置。
【請求項１９】
前記反射面が、多色であることを特徴とする請求項１５に記載の装置。
【請求項２０】
前記ディスプレイシートが、少なくとも前記歯車を覆うことができる大きさにされたことを特徴とする請求項１３〜１９のいずれか１項に記載した装置。
【請求項２１】
前記ディスプレイシートが、前記歯車より実質的に大きいサイズであることを特徴とする請求項２０に記載の装置。
【請求項２２】
前記装置がさらに、前記心棒上において前記歯車と前記ディスプレイシートとの間に配置されたスペーサを有することにより、隣接した前記ディスプレイシートの千鳥状の重複又は重なり合いを可能にしたものであることを特徴とする請求項２１に記載の装置。
【請求項２３】
前記支持面が、強磁性物質から製造されるか、又はそのような物質と関連して構成されたものであることを特徴とする請求項１〜２２のいずれか１項に記載した装置。
【請求項２４】
前記支持面が、強磁性物質と関連した構造を有するものであることを特徴とする請求項２３に記載の装置。
【請求項２５】
前記支持面が、その上に前記ディスプレイ素子の各々を配置したことにより、視覚的な注意力を喚起させるようにした上面を有する第一の層と、前記第一の層の下面上又はその下面に近接して配置されたことにより、前記ディスプレイ素子の各々における前記第一の層への取り付け状態を維持するに十分な程度に前記下面に対して近接した前記強磁性物質からなる第二の層とを含むことを特徴とする請求項２４に記載の装置。
【請求項２６】
前記支持面が、前記ディスプレイ素子をその各側面に位置せしめるように構成されたものであることを特徴とする請求項１〜２５のいずれか１項に記載した装置。
【請求項２７】
前記ディスプレイ素子を回転するための駆動手段が、直流電気モータであることを特徴とする請求項１〜２６のいずれか１項に記載した装置。
【請求項２８】
前記電気モータが、バッテリー、太陽電池又は給電線を含むグループから選択された手段により給電されるものであることを特徴とする請求項２７に記載の装置。
【請求項２９】
前記電気モータが、前記支持面における前記ディスプレイ素子と同一側面上に位置し、かつ１個の駆動歯車に伝動連結され、その駆動歯車がさらに、隣接したディスプレイ素子に伝動連結されたものであることを特徴とする請求項２７又は２８に記載の装置。
【請求項３０】
前記電気モータが、前記ディスプレイ素子を配置する面の反対側における前記支持面の側面上に位置し、かつ駆動歯車に伝動連結されたことにより、前記ディスプレイ素子に伝動連結されるものであることを特徴とする請求項２７又は２８に記載の装置。
【請求項３１】
前記電気モータが便宜的に前記支持面の一側面上に位置するとともに、前記支持面を貫通して前記駆動歯車に伝動連結されたシャフトを有し、前記歯車が隣接したディスプレイ素子に伝動連結され、さらに、前記モータが前記支持面に実質的に直角な面内で回転可能とされたことにより、前記駆動歯車が前記ディスプレイ素子と前記支持面の所望の側において係合するようにしたことを特徴とする請求項２７又は２８に記載の装置。
【請求項３２】
前記電気モータが前記支持面の一側面上に配置されるとともに、前記支持面を貫通したシャフトを有し、前記シャフトが第一及び第二の駆動歯車を有し、前記第一駆動歯車が前記支持面の一側面上において隣接したディスプレイ素子に伝動連結されるとともに、前記第二の歯車が前記支持面の他側面上において隣接したディスプレイ素子に伝動連結されたものであることを特徴とする請求項２７又は２８に記載の装置。
【手続補正２】
【補正対象書類名】明細書
【補正対象項目名】０００４
【補正方法】変更
【補正の内容】
【０００４】
本発明によれば、次のような可視ディスプレイ装置が提供される。すなわち、ディスプレイ装置は、
少なくとも一つの支持面を有する支持体と、
複数のディスプレイ素子であって、前記ディスプレイ素子の各々が、
（ｉ）前記支持面に取り外し可能に固着されており、
（ｉｉ）前記支持面上において前記装置の使用者により選択された位置に配置されることが可能であり、さらに、
（ｉｉｉ）前記支持面上に取り付けられた状態において回転可能となっているもの、並びに、
前記ディスプレイ素子の少なくとも一つに回転を与えるための駆動手段とを備え、
前記ディスプレイ素子の少なくとも幾つかが互いに連結されたことにより、前記ディスプレイ素子の一つの回転が、前記ディスプレイ素子のうち少なくとも一つの隣接素子の回転を生ずるようにしたことを特徴とする可視ディスプレイ装置である。




【国際調査報告】
2004504644.tif 000027
2004504644.tif 000028
2004504644.tif 000029